(57)【要約】【課題】高周波の発振を行う発振回路及び選局装置並びに不要輻射低減方法に関し、簡単な構成で不要輻射を低減できる発振回路及び選局装置並びに不要輻射低減方法を提供することを目的とする。【解決手段】本発明は、発振回路部（５１）と、発振回路部（５１）に容量又は誘導成分を与えるタンク回路（４３）と、発振回路部（５１）の出力発振信号を所要の周波数に分周する分周器（５５）と、分周器（５５）の出力を増幅して出力するアンプ（５６）とを有し、タンク回路（４３）のクオリティファクタを、発振回路部（５１）からの不要輻射が低減するように設定したことを特徴とする。【選択図】  図５
2004208160.tif 000002
【特許請求の範囲】
【請求項１】
発振回路部と、
該発振回路部に容量又は誘導成分を与えるタンク回路と、
前記発振回路部の出力発振信号を所要の周波数に分周する分周器と、
前記分周器の出力を増幅して出力するアンプとを有し、
前記タンク回路のクオリティファクタを、前記発振回路部からの不要輻射が低減するように設定したことを特徴とする発振回路。
【請求項２】
前記タンク回路は、インダクタから構成されることを特徴とする請求項１記載の発振回路。
【請求項３】
前記発振回路部、及び、前記分周器、並びに、前記アンプは、１チップの半導体装置に搭載され、
前記タンク回路は、前記半導体装置の外付け部品であることを特徴とする請求項１又は２記載の発振回路。
【請求項４】
ローカル発振回路で生成されるローカル発振信号を用いて受信信号周波数を中間周波数に変換し、変換した中間周波数を用いて受信信号を復調する選局装置であって、
前記ローカル発振回路は、
前記発振回路部と、
該発振回路部に容量又は誘導成分を与えるタンク回路と、
前記発振回路部の出力発振信号を所要の周波数に分周する分周器と、
前記分周器の出力を増幅して出力するアンプとを有し、
前記タンク回路のクオリティファクタは、前記発振回路部からの不要輻射が低減するように設定されたことを特徴とする選局装置。
【請求項５】
前記タンク回路は、インダクタから構成されることを特徴とする請求項４記載の選局装置。
【請求項６】
発振回路部と、
該発振回路部に容量又は誘導成分を与えるタンク回路と、
前記発振回路部の出力発振信号を所要の周波数に分周する分周器と、
前記分周器の出力を増幅して出力するアンプとを有する発振回路であって、
前記タンク回路のクオリティファクタを、前記発振回路部からの不要輻射が低減するように設定したことを特徴とする不要輻射低減方法。
【発明の詳細な説明】
【０００１】
【発明の属する技術分野】
本発明は発振回路及び選局装置並びに不要輻射低減方法に係り、特に、高周波の発振を行う発振回路及び選局装置並びに不要輻射低減方法に関する。
【０００２】
【従来の技術】
近年、ＰＬＬ（phase locked loop）回路は、ＩＣ（integrated circuit）化されている。ＩＣ化されたＰＬＬ回路では、周辺回路の簡略化のためにＶＣＯ（voltage controlled oscillator）などの発振回路を内蔵するものが一般的となっている。
【０００３】
発振回路をＩＣに内蔵する場合、発振に必要となるインダクタンスやキャパシタンスは外付けとされている。このように発振回路に外付するインダクタンスやキャパシタンスを含む回路は、タンク回路と呼ばれている。タンク回路は、通常インダクタンスを発振回路に付与する構成としており、インダクタから構成されている。
【０００４】
このとき、所要の出力周波数での精度を得るために、発振回路の出力は分周回路によりＮ分周されて出力される。このため、所要の出力周波数を得るために、発振回路を所要の出力周波数のＮ倍の周波数で発振させていた。
【０００５】
【発明が解決しようとする課題】
しかるに、発振回路の出力周波数は、所要の周波数のＮ倍の高周波で発振させる必要があったため、所要の周波数が高くなると、発振回路の出力周波数は非常に高くなり、リークや輻射が発生するなどの問題点があった。
【０００６】
本発明は上記の点に鑑みてなされたもので、簡単な構成で不要輻射を低減できる発振回路及び選局装置並びに不要輻射低減方法を提供することを目的とする。
【０００７】
【課題を解決するための手段】
本発明は、発振回路部（５１）と、発振回路部（５１）に容量又は誘導成分を与えるタンク回路（４３）と、発振回路部（５１）の出力発振信号を所要の周波数に分周する分周器（５５）と、分周器（５５）の出力を増幅して出力するアンプ（５６）とを有し、タンク回路（４３）のクオリティファクタを、発振回路部（５１）からの不要輻射が低減するように設定したことを特徴とする。
【０００８】
また、本発明は、タンク回路（４３）をインダクタ（Ｌ）から構成したことを特徴とする。
【０００９】
さらに、本発明は、発振回路部（５１）、及び、分周器（５５）、並びに、アンプ（５６）は、１チップの半導体装置に搭載され、タンク回路（４３）は、半導体装置（４２）の外付け部品であることを特徴とする。
【００１０】
本発明によれば、タンク回路（４３）のクオリティファクタを、発振回路部（５１）からの不要輻射が低減するように設定することにより、発振回路部（５１）の出力発振信号の外部へのリークや輻射を低減でき、一方で、発振回路（３４）からの出力信号はアンプ（５６）により増幅されて出力されるので、出力信号レベルの低減は必要最小限に留めることができる。また、本発明によれば、タンク回路（４３）のクオリティファクタを低クオリティファクタ（ＱL）に変更するだけで不要輻射を低減できるため、簡単な構成で不要輻射を低減できる。
【００１１】
【発明の実施の形態】
図１は本発明の一実施例のシステム構成図を示す。
【００１２】
本実施例のディジタル音声放送受信システム１は、アンテナ１１−１、１１−２、ディジタル音声放送受信装置１２、オーディオアンプ１３、スピーカ１４−Ｌ、１４−Ｒを含む構成とされている。
【００１３】
アンテナ１１−１は、衛星からの電波を受信する。アンテナ１１−２は、地上波を受信する。アンテナ１１−１、１１−２は、ディジタル音声放送受信装置１２に受信信号を供給する。
【００１４】
図２はディジタルオーディオ放送受信装置１２のブロック構成図を示す。
【００１５】
ディジタルオーディオ放送受信装置１２は、ディジタルオーディオ放送受信チューナ２１、復調回路２２、操作部２３を含む構成とされている。
【００１６】
図３はディジタルオーディオ放送チューナ２１のブロック構成図を示す。
【００１７】
ディジタルオーディオ放送チューナ２１は、フィルタ３１、３６、自動利得制御増幅回路３２、３７、ミキサ３３、３８、ＰＬＬ回路３４、復調回路３５を含む構成とされている。
【００１８】
アンテナ端子Ｔant1には、衛星波受信用のアンテナから受信信号が供給される。アンテナ端子Ｔant1は、チューナ内部でフィルタ３１に接続されている。フィルタ３１は、アンテナ端子Ｔant1からの受信信号からディジタルオーディオ放送の周波数帯域の成分を除く周波数成分を低減する。フィルタ３１で不要な周波数成分が除去された信号は、自動利得制御増幅回路３２に供給される。
【００１９】
自動利得制御増幅回路３２には、復調回路３５から利得制御信号が供給されている。自動利得制御増幅回路３２は、復調回路３５から供給された利得制御信号に応じて出力信号のレベルが一定になるように利得が制御される。
【００２０】
自動利得制御増幅回路３２でレベルが一定にされた信号は、ミキサ３３に供給される。ミキサ３３には、ＰＬＬ回路３４から選択チャンネルに応じた発振信号が供給される。
【００２１】
図４はＰＬＬ回路３４のブロック構成図を示す。
【００２２】
ＰＬＬ回路３４は、基準発振源４１、ＰＬＬＩＣ４２、タンク回路４３を含む構成とされている。基準発振源４１は、基準発振信号を発生し、ＰＬＬＩＣ４２の基準端子Ｔrefに供給する。
【００２３】
ＰＬＬＩＣ４１は、１チップの半導体基板に搭載されており、ＶＣＯ（voltage controlled oscillator）回路５１、分周器５２、位相比較器５３、ループフィルタ５４、分周器５５、アンプ５６を含む構成とされている。ＶＣＯ回路５１は、ループフィルタ５４からの電圧に応じた発振周波数ｆ0を発振する。
【００２４】
図５はＶＣＯ回路５１の回路構成図を示す。
【００２５】
ＶＣＯ回路５は、例えば、キャパシタＣ1〜Ｃ7、抵抗Ｒ1〜Ｒ5、バリキャップＤ1、Ｄ2、トランジスタＴｒを含む構成とされおり、端子Ｔtnk1と端子Ｔtnk2との間にタンク回路４３を構成するインダクタＬが外付けで接続される構成とされている。なお、図５に示すＶＣＯ回路５は、コルピッツ発振回路を使用した一般的なＶＣＯである。ＶＣＯ回路５１は、端子Ｔtnk1、Ｔtnk2に接続されるタンク回路４３のインダクタンス、キャパシタンスに応じた周波数で発振を行う。
【００２６】
タンク回路４３は、例えば、インダクタＬから構成されている。インダクタンスＬは、例えば、空芯コイル、チップインダクタから構成されており、クオリティファクタであるＱ値が低いものを使用する。
【００２７】
図６は発振周波数とクオリティファクタＱ値との関係を示す図である。
【００２８】
図６の上段は通常のクオリティファクタＱ値のインダクタの周波数に応じたクオリティファクタＱH、下段はクオリティファクタＱ値が低いインダクタのクオリティファクタＱLを示す。
【００２９】
本実施例では、タンク回路４３を低いクオリティファクタＱLのインダクタＬだけで構成する。例えば、タンク回路４３のインダクタＬが２．２ｎＨで、ＶＣＯ回路５１の発振周波数が９５６．８ＭＨｚとする場合には、図６で１０００ＭＨｚに示されるクオリティファクタＱH、ＱLが得られる。通常のインダクタのクオリティファクタＱHは、「５１．９」であり、低クオリティファクタＱLは通常のクオリティファクタＱHの略１／３の「１８．５」となる。なお、ＶＣＯ回路５１の発振周波数９５６．８ＭＨｚは、第２中間周波数変換用のローカル発振周波数に相当する。
【００３０】
タンク回路４３をクオリティファクタＱLのインダクタＬで構成することにより、ＶＣＯ回路５１の出力発振信号レベルが低減する。ＶＣＯ回路５１の出力発振信号レベルが低減することによりＶＣＯ回路５１から９５６．８ＭＨｚの高周波信号のリークや輻射を低減する。
【００３１】
ＶＣＯ回路５１の出力発振信号は、分周器５２にも供給されている。分周器５２は、ＶＣＯ５１からの発振出力信号を（１／Ｍ）倍に分周する。分周器５２で分周された信号は、位相比較器５３に供給される。
【００３２】
位相比較器５３には、基準発振源４１から基準発振信号が供給されている。位相比較器５３は、基準発振源４１からの基準発振信号と分周器５２からの信号との位相を比較し、その差に応じた電圧を発生する。位相比較器５３の出力電圧は、ループフィルタ５４に供給される。
【００３３】
ループフィルタ５４は、位相比較器５３からの電圧の高周波成分を除去する。ループフィルタ５４で高周波成分が除去された電圧は、ＶＣＯ回路５１に供給される。ＶＣＯ回路５１は、ループフィルタ５４からの電圧に応じて発振周波数の位相を制御し、発振周波数が所望の位相となるように制御している。
【００３４】
以上のように本実施例のＰＬＬ回路３４では、タンク回路４３でインダクタＬに抵抗などを接続することなく、ＶＣＯ回路５１の出力発振レベルを低減できる。ＶＣＯ回路５１の出力発振信号レベルが低減することによりＶＣＯ回路５１からの高周波信号のリークや輻射を低減できる。ＶＣＯ回路５１の出力発振信号は、分周回路５５により周波数が１／Ｎ倍されて、所要の周波数とされた後、アンプ５６に供給される。
【００３５】
アンプ５６は、分周回路５５からの出力を増幅して出力端子Ｔoutから出力する。ＶＣＯ回路５１の出力は、分周回路５５で分周された後、アンプ５６で増幅されるため、タンク回路４３を構成するインダクタＬのクオリティファクタＱを低減させ、ＶＣＯ回路５１の出力レベルを低減させても、出力端子Ｔoutから出力される所要の周波数の発振信号レベルが低減することを抑制できる。
【００３６】
ＰＬＬ回路３４で生成された発振信号は、ミキサ３３、３８に供給される。ミキサ３３、３８は、自動利得制御増幅回路３２からの信号とＰＬＬ回路３４からの発振信号とをミキシングして、自動利得制御増幅回路３２からの信号を中間周波数信号に変換する。ミキサ３３で中間周波数信号に変換された信号は、復調回路３５に供給される。復調回路３５は、ミキサ３３から供給された中間周波数信号を復調して出力端子Ｔoutから出力する。
【００３７】
一方、アンテナ端子Ｔant2には、地上波受信用のアンテナから受信信号が供給される。アンテナ端子Ｔant2は、チューナ内部でフィルタ３６に接続されている。フィルタ３６は、アンテナ端子Ｔant2からの受信信号からディジタルオーディオ放送の周波数帯域の成分を除く周波数成分を低減する。フィルタ３６で不要な周波数成分が除去された信号は、自動利得制御増幅回路３７に供給される。
【００３８】
自動利得制御増幅回路３７には、復調回路３５から利得制御信号が供給されている。自動利得制御増幅回路３７は、復調回路３５から供給された利得制御信号に応じて出力信号のレベルが一定になるように利得が制御される。
【００３９】
自動利得制御増幅回路３７でレベルが一定にされた信号は、ミキサ３８に供給される。ミキサ３８には、ＰＬＬ回路３４から選択チャンネルに応じた発振信号が供給される。
【００４０】
ミキサ３８は、自動利得制御増幅回路３７からの信号とＰＬＬ回路３４からの発振信号とをミキシングして、自動利得制御増幅回路３７からの信号を中間周波数信号に変換する。ミキサ３８で中間周波数信号に変換された信号は、復調回路３５に供給される。復調回路３５は、ミキサ３８から供給された中間周波数信号を復調して出力端子Ｔoutから出力する。
【００４１】
出力端子Ｔoutから出力された復調信号は、デコード回路２２に供給される。デコード回路２２は、復調信号から左右の音声データをデコードする。デコード回路２２でデコードされた左音声データは、Ｄ／Ａ（ディジタル／アナログ）変換回路２３に供給される。Ｄ／Ａ変換回路２３は、デコード回路２２からの左音声データをアナログ音声信号に変換して左音声出力端子ＴLから出力する。
【００４２】
また、デコード回路２２でデコードされた右音声データは、Ｄ／Ａ（ディジタル／アナログ）変換回路２４に供給される。Ｄ／Ａ変換回路２４は、デコード回路２２からの右音声データをアナログ音声信号に変換して右音声出力端子ＴRから出力する。
【００４３】
ディジタルオーディオ放送受信装置１２で復調及びデコードされ、アナログ信号に変換された左右音声信号は、オーディオアンプ１３に供給される。オーディオアンプ１３は、ディジタルオーディオ放送受信装置１２からの左音声信号に応じてスピーカ１４−Ｌを駆動する。また、オーディオアンプ１３は、ディジタルオーディオ放送受信装置１２からの右音声信号に応じてスピーカ１４−Ｒを駆動する。
【００４４】
本実施例によれば、ＰＬＬＩＣ４２に接続され、タンク回路４３を構成するインダクタＬをクオリティファクタＱの低いものを採用することにより、抵抗などを追加することなく、ＰＬＬＩＣ４２を構成するＶＣＯ回路５１の出力発振信号レベルを低減でき、よって、ＰＬＬＩＣ４２からの高周波信号のリーク、輻射を低減できる。
【００４５】
このとき、ＰＬＬＩＣ４２の出力端子Ｔoutから出力される所要の周波数の信号は、分周器５５により分周された後、アンプ５６で増幅された出力されるため、所望のレベルを確保できる。例えば、インダクタＬを図６に示す通常のクオリティファクタＱHのものから低クオリティファクタＱLのもの変更することにより、ＶＣＯ回路５１の出力発振信号の輻射を６〜７ｄＢ低減することができる。このように、タンク回路４３を構成するインダクタＬのクオリティファクタＱを低クオリティファクタＱLに変更するだけで、不要輻射を低減できるため、簡単な構成で不要輻射を低減できる
また、特に、タンク回路が外付けされるＶＣＯ回路を内蔵するＰＬＬＩＣに適用して好適である。
【００４６】
なお、本実施例では、ディジタルオーディオ放送受信装置１２のチューナ２１の第２中間周波数変換用のローカル発振信号を生成するためのＰＬＬ回路３４に適用したが、第１中間周波数変換用のローカル発振信号生成用ＰＬＬ回路に提供することも可能であり、また、ディジタルオーディオ放送受信装置１２のチューナに限定されるものでもなく、アナログテレビジョン放送受信用チューナ、ディジタルＢＳ放送受信用チューナ、ＣＳ放送受信用チューナなどに適用することも可能である。要はタンク回路が外付けのＰＬＬ回路に適用可能である。
【００４７】
【発明の効果】
上述の如く、本発明によれば、タンク回路のクオリティファクタを、発振回路部からの不要輻射が低減するように設定することにより、発振回路部の出力発振信号の外部へのリークや輻射を低減する、一方で、発振回路からの出力信号はアンプにより増幅されて出力されるので、出力信号レベルの低減は必要最小限に留めることができ、よって、簡単な構成で不要輻射を低減できる等の特長を有する。
【図面の簡単な説明】
【図１】本発明の一実施例のシステム構成図である。
【図２】ディジタルオーディオ放送受信装置１２のブロック構成図である。
【図３】ディジタルオーディオ放送チューナ２１のブロック構成図である。
【図４】ＰＬＬ回路３４のブロック構成図である。
【図５】ＶＣＯ回路５１の回路構成図である。
【図６】周波数に対するインダクタＬのＱ値を説明するための図である。
【符号の説明】
１  ディジタルオーディオ放送受信システム
１１−１、１１−２  アンテナ、１２  ディジタルオーディオ放送受信装置
１３  オーディオアンプ、１４−Ｌ、１４−Ｒ  スピーカ
２１  ディジタルオーディオ放送チューナ、２２  復調回路、２３  操作部
３１、３６  フィルタ、３２、３７  自動利得制御増幅回路
３３、３８  ミキサ、３４  ＰＬＬ回路、３５  復調回路
４１  ＰＬＬＩＣ、４２  タンク回路
５１  ＶＣＯ回路、５２、５４  分周器、５３  位相比較器、５５  アンプ
Ｌ  インダクタ
【図１】
2004208160.tif 000003
【図２】
2004208160.tif 000004
【図３】
2004208160.tif 000005
【図４】
2004208160.tif 000006
【図５】
2004208160.tif 000007
【図６】
2004208160.tif 000008